(57)【要約】      （修正有）【課題】名刺を積層状態で収納した名刺収納ケース（上容器１１と下容器１２）から、繰り出し機構部（操作摘み３）の操作でケース前側面部に設けた名刺が通過する長孔から最上層の名刺をケース外に露出させてなる名刺入れにおいて、名刺が確実に１枚毎繰り出されるようにする。【解決手段】充分な上下間隙を備えた長孔（前側面部１２２の上縁と上面部１１１とで形成される間隙）の中央位置に、基端をケース（前側面部１２２）に固着し上端が長孔上縁（上面部の下面）に達する弾性爪１２５を設ける。【選択図】図３
0003133201.tif 000002
【実用新案登録請求の範囲】
【請求項１】
名刺を積層状態で収納できるボックス状の名刺収納ケースと、前記収納ケース内底面に設けて積層状態の名刺を押し上げる押し上げ機構部と、ケース前側面部における上方側に設けた名刺が通過する長孔と、ケース上面部を貫通して設けられると共に、底面がケース内収納の最上面の名刺と当接し且つ上部がケース上面部に露出した操作摘みとした繰り出し機構部とを備え、操作摘みのスライド操作で最上層の名刺を長孔からケース外に露出させてなる名刺入れにおいて、長孔の上下間隔を名刺１枚の厚さより大きく形成すると共に、基端をケースに固着し上端が長孔上縁に達する弾性爪を、長孔中間に設けてなることを特徴とする名刺入れ。
【請求項２】
長孔下縁に凹部を形成し、当該凹部に弾性爪を配置すると共に、弾性爪の基端を固着してなる請求項１記載の名刺入れ。
【請求項３】
押し上げ機構部を、収納ケース内底面に設けた扁平固定磁石と、収納名刺の底面に配置され、前記固定磁石と対面して反発する扁平磁石を設けたシート体とで構成すると共に、前記磁石位置を、繰り出し機構部の近傍に設けてなる請求項１又は２記載の名刺入れ。
【請求項４】
繰り出し機構部の前後左右に扁平磁石体を設けてなる請求項３記載の名刺入れ。
【請求項５】
ケース上面部におけるシート体の扁平磁石と対応する位置に、吸引作用となる扁平磁石を設けてなる請求項３又は４記載の名刺入れ。
【請求項６】
収納ケースを箱型下容器と、上面部及び奥方に名刺受部を備えた上容器で構成し、奥方左右側面において上下容器を軸結して煽り開閉自在に形成すると共に、上下容器の対面適宜位置に、吸引作用をなす閉塞用磁石を埋設してなる請求項１乃至５記載の何れかの名刺入れ。
【考案の詳細な説明】
【技術分野】
【０００１】
本考案は、名刺の携帯のために使用する名刺入れにおいて、特に名刺収納ケースから名刺を１枚毎繰り出す構造を備えたものに関するものである。
【背景技術】
【０００２】
一般の名刺入れは、所謂財布タイプであり、蓋部分を開いて多数の名刺から１枚を抜き取り、相手方に手渡すようにしている。然し１枚毎取り出す煩雑さを解消すると共に、名刺が折れ曲がらずに携帯できるように、名刺を１枚毎容易に取り出すことができる名刺入れが提案されている。
【０００３】
前記の名刺入れの基本的構成は、実開昭５９−１５９３２８号公報（特許文献１）及び実開昭６１−１９０２２０号公報（特許文献２）に示されているとおり、ボックス状の名刺収納ケース内に積層状態の名刺を押し上げる発条（押し上げ機構部）を設け、ケース側面に名刺が１枚のみ通過する長孔または制止部を設け、底面が最上面の名刺と当接し且つ上部がケース上面に露出した操作摘みとなっている繰り出し機構部を備え、操作摘みを動作させて、最上層の名刺を長孔からケース外に露出させ、当該露出した名刺を手で取り出すようにしているものである。
【０００４】
また特許文献３（実開昭６２−１１９８３１号公報）には、前記の長孔又は制止部に替えて、繰り出し機構部の操作で送り出された名刺が、閉塞付勢されている側面蓋を押してケース外に露出する構成が開示されている。
【０００５】
前記の名刺入れにおいては、名刺が紙製であり、湿気によって撓むこともあるが、操作摘みによる繰り出しに際して名刺の中央部分を発条に抗して押し下げることになるので、僅かであるが撓んでしまう。このため名刺１枚のみが通過する長孔を採用している特許文献１記載の名刺ホルダーでは、名刺が僅かに歪むことによって名刺の一部でも長孔の内側縁に衝突すると、長孔を通過することができなくなり名刺の繰り出しが出来なくなってしまう。また特許文献２の名刺入れにおいても、同様に制止部にぶつかってしまう。
【０００６】
特許文献３記載の名刺入れにあっては、名刺繰り出し時に生ずる操作摘みの下圧による名刺の僅かな撓みは、名刺送り出し自体に何らの支障は生じないが、二枚重なって送り出されると、左右と中央の高さが相違することによって、二枚一緒に取り出されることになる。
【０００７】
更に開閉蓋の閉塞方向付勢力が強いと、名刺が開閉蓋との衝突で折れ曲がる虞があり、しかも充分に耐力を備えた厚い名刺としなければならない。また前記付勢力が弱いと開閉蓋が簡単に開いてしまい、ホルダー内に収納した名刺が飛び出る虞がある。
【０００８】
そこで先に、本考案者らは、名刺繰り出し時の名刺の撓みに対応する構造として、名刺繰り出し機構部分の長孔の形状を、左右両端側の所定幅は上下間隙を名刺１枚分の厚さとし、中間部分は充分な広い間隙とすることを提案した（特許文献４）。
【０００９】
更に名刺の押し上げ機構部の改良として、発条を使用せずに扁平磁石を採用し、磁石の反発力を利用することを提案した（特許文献５）。
【００１０】
【特許文献１】実開昭５９−１５９３２８号公報。
【特許文献２】実開昭６１−１９０２２０号公報。
【特許文献３】実開昭６２−１１９８３１号公報。
【特許文献４】登録実用新案３１０９８６０号公報。
【特許文献５】登録実用新案３１１４６０１号公報。
【考案の開示】
【考案が解決しようとする課題】
【００１１】
本考案者らが提案した特許文献４，５に開示されている前記の名刺入れにおいては、名刺の繰り出し口となる長孔を、特に左右両端側の所定幅は上下間隙を名刺１枚分の厚さとし、中間部分は充分な広い間隙としているが、名刺１枚分の厚さ間隙を厳密に形成すると、名刺が僅かな湿気を含むことによって、取り出しができなくなったり、間隙に余裕を持たせた場合には、二枚繰り出しを避けることが出来ないという問題が生ずる。勿論名刺の厚さが異なる場合に対しての汎用性も備えない。
【００１２】
そこで本考案は、二枚繰り出しの対策と、名刺の厚さの変化にも対応できる構造を備えた改良を施した名刺入れを提案したものである。
【００１３】
また名刺押し上げ機構部として磁石反発力を利用するために、磁石位置を、積層収納の名刺における繰り出し口（長孔）に近接した左右前方位置と、長孔の反対側中央位置としたが、提案する二枚繰り出し防止処置を採用した場合に、必ずしも最適配置とはいえない。
【００１４】
そこで本考案は、更に押し上げ機構部に採用する磁石の配置についての改良も提案したものである。
【課題を解決するための手段】
【００１５】
本考案に係る名刺入れ（請求項１）は、名刺を積層状態で収納できるボックス状の名刺収納ケースと、前記収納ケース内底面に設けて積層状態の名刺を押し上げる押し上げ機構部と、ケース前側面部における上方側に設けた名刺が通過する長孔と、ケース上面部を貫通して設けられると共に、底面がケース内収納の最上面の名刺と当接し且つ上部がケース上面部に露出した操作摘みとした繰り出し機構部とを備え、操作摘みのスライド操作で最上層の名刺を長孔からケース外に露出させてなる名刺入れにおいて、長孔の上下間隔を名刺１枚の厚さより大きく形成すると共に、基端をケースに固着し上端が長孔上縁に達する弾性爪を、長孔中間に設けてなることを特徴とするものである。
【００１６】
而して適宜枚数の名刺を収納ケース内に収納すると、押し上げ機構部によって上面部方向に押し上げられ、繰り出し機構部の操作摘みをスライド操作すると、操作摘み底面が最上層の名刺と当接し、名刺を長孔から押し出すものである。この際に長孔に設けた弾性爪を押して撓曲させ、この撓曲によって生じた上下間隔から最上層の名刺のみが繰り出される。
【００１７】
仮に次層の名刺が最上層名刺と共に繰り出されたとしても、その繰り出し力は最上層名刺との摩擦力に基づくものであるから、弾性爪に衝突して、長孔外への繰り出しが阻止され、最上層名刺が抜き出されると、弾性爪の復帰力で、ケース内に押し戻される。
【００１８】
また本考案に係る名刺入れ（請求項２）は、特に前記名刺入れにおいて、長孔下縁に凹部を形成し、当該凹部に弾性爪を配置すると共に、弾性爪の下端を固着してなるもので、弾性爪の高さを大きくできるので、弾性性能の選択調整が容易になし得る。
【００１９】
また本考案に係る名刺入れ（請求項３，４，５）は、前記の名刺入れにおいて、押し上げ機構部を、収納ケース内底面に設けた扁平固定磁石と、収納名刺の底面に配置され、前記固定磁石と対面して反発する扁平磁石を設けたシート体とで構成すると共に、前記磁石位置を、繰り出し機構部の近傍に設けてなり、特に扁平磁石体は、繰り出し機構部の前後左右に設け、またケース上面部裏側におけるシート体の扁平磁石と対応する位置に、吸引作用となる扁平固定磁石を設けてなるものである。
【００２０】
従って名刺は、シート体の扁平磁石と扁平固定磁石の反発力或いは前記反発力とケース上面部との吸引力の作用により、シート体によって上面部方向に押し上げられることになると共に、当該反発力及び吸引力が、最上層の名刺に対する操作摘みとの当接力（摩擦力）に効果的に作用することになる。
【考案の効果】
【００２１】
本考案は、名刺の繰り出し箇所に弾性爪を設けたので、名刺の繰り出しに際して二枚繰り出しが防止され、１枚毎の確実な繰り出しがなされる名刺入れを提供できたものである。
【００２２】
更に名刺の押し上げ機構部として、磁石の反発力や吸引力を利用すると共に、特定箇所に配置することによって、磁石の作用を効果的に発揮するようにしたもので、磁石の過剰品質を避ける事ができたものである。
【考案を実施するための最良の形態】
【００２３】
次に本考案の実施の形態について説明する。実施形態に示した名刺入れは、本考案を実施した収納ケース１を適宜な皮ケースＡに収納したものである。
【００２４】
収納ケース１には、押し上げ機構部２を構成する扁平固定磁石２１ａ，２１ｂ及びシート体２２と、名刺の繰り出し機構部（操作摘み）３を付設したものである。
【００２５】
収納ケース１は、上容器１１と箱型の下容器１２で構成され、両容器１１，１２は、奥方左右側面（名刺が押し出される長孔を前とし、反対側を奥とし、他の対向辺を左右とする。）において上下容器１１，１２を軸結して煽り開閉自在に形成し、両容器１１，１２の組み合わせで全体をボックス状としたものである。
【００２６】
上容器１１は、名刺の大きさに対応した上面部１１１及び左右の側面部１１２と、奥方に名刺を複数枚積層状態で納めることができるポケット形状の名刺受部１１３を設けてなり、側面部１１２の前方の上面部１１１に、後述する下容器１２の左右側面部１２３の上端面と当接する箇所に、上下容器１１，１２を閉じた際に、閉塞状態を維持する一方の吸引磁石となる閉塞用磁石１１４を非突出状態で設けたものである。
【００２７】
更に上面部１１１の左右中間位置に繰り出し機構部を構成する貫通溝孔１１５を設け、また前記貫通溝孔１１５の幅より長い範囲（後述する長孔の広間隙の範囲）に、ケース前側縁と平行な撓み防止用細溝１１６を設けてなる。尚貫通溝孔１１５の左右内側端面は、下方が広がっている傾斜面に形成してなる。
【００２８】
下容器１２は、下面部１２１と、前側面部１２２と、上容器１１の側面部１１２の外方に位置する左右側面部１２３で構成される箱形で、左右側面部１２３の奥方突出部分（下面部が存在しない範囲）に、前記上容器１１との枢結部１２４を設け、上下容器１１，１２の開閉を可能としているものである。
【００２９】
前側面部１２２は、上容器１１が下容器１２と組み合わされて箱型となった際に、上面部１１１と前側面部１２２との間に所定の長孔ａが形成されるように、左右側面部１２３より一段（１〜３ｍｍ程度）低く形成したものである。
【００３０】
更に前側面部１２２の中央位置には、上容器１１が下容器１２と組み合わされて箱型となった際に、上端が上面部１１１の下面と当接する弾性爪１２５を設けたもので、前記弾性爪１２５は薄プラスチック板で形成されると共に、所望の弾性機能を発揮するように、弾性爪１２５の装着位置となる前側面部１２２に凹部１２６を設けて、当該凹部１２６に弾性爪１２５の基端を固着してなるものである。
【００３１】
更に左右側面部１２３には、特に前記した閉塞用磁石１１４と対面する位置に他方側の閉塞用磁石１２７を非突出状態で設けたものである。
【００３２】
押し上げ機構部２は、扁平固定磁石２１ａ，２１ｂとシート体２２で構成されるもので、扁平固定磁石２１ａは、収納ケース１の上容器１１の上面部１１１に設けた貫通溝孔１１５の枢結部方の両側に設け、扁平固定磁石２１ｂは、下容器１２の下面部１２１に設けたもので、その位置は、前記上容器側の扁平固定磁石２１ａと対応する位置と、前記位置より前側の適宜位置（前後対称位置）に設けたものである。
【００３３】
シート体２２は、名刺状の大きさで、収納名刺Ｂの最下方に位置させて、名刺受部１１３に差し入れるもので、前記扁平固定磁石２１ａ，２１ｂと対面する位置に扁平磁石２２１を設けたものである。
【００３４】
また前記シート体２２には、前記扁平固定磁石２１ｂと対面する位置に扁平磁石２２１を設けたもので、各磁石の磁極は、扁平固定磁石２１ｂと対面する扁平磁石２２１は反発作用をなすようにし、扁平磁石２２１と対応する扁平固定磁石２１ａは吸引作用をなすように設ける。
【００３５】
繰り出し機構部は、貫通溝孔１１５に装着した操作摘み３で構成される。操作摘み３は、弾性アーチ部３１と名刺当接部３２で構成される。
【００３６】
弾性アーチ部３１は、貫通溝孔１１５を跨いで上面部１１１上に配置されており、名刺当接部３２は、前記弾性アーチ部３１の下方に設けられ、弾性アーチ部３１で上方に引上げ付勢されている。
【００３７】
また名刺当接部３２は、貫通溝孔１１５の内側端面の傾斜面に対応する傾斜側面を備える形状で、貫通溝孔１１５から抜け出るのを防止されている構成となっており、弾性アーチ部３１で引上げ付勢されている状態（非押圧状態）で、名刺当接部３２の名刺当接面３３となる底面が、上面部１１１の裏面と同一面上又は上方に凹んで位置するようにしてなるものである。
【００３８】
而して前記収納ケース１は、皮ケースＡに包まれて製品化されるもので、ベース部Ａ１に下容器１２を貼着し、ベース部Ａ１と連続する奥方の保護皮Ａ２をケースの煽り回動中心の外側を巻き込むようにして上面部１１１の上面を覆うようにし、ベース部Ａ１の前方部分は蓋体Ａ３とするものである。勿論操作摘み３のスライド操作が可能なようにしておく。
【００３９】
前記の名刺入れは、閉塞用磁石１１４，１２７の吸引力に抗して上容器１１を煽り開放し、ポケット状の名刺受部１１３に差し入れたシート体２２と上面部１１１との間に、複数の名刺Ｂを積層状態で収納し、前記の上容器１１を煽り閉鎖し、閉塞用磁石１１４，１２７の吸引力で上容器１１と下容器１２を閉じるものである。
【００４０】
前記状態が名刺入れの携帯状態で、特に操作摘み３がスライド移動したとしても、名刺Ｂと非当接状態（又は非下圧状態）であり、名刺Ｂの飛び出しが防止されている。
【００４１】
名刺Ｂの取り出しは、蓋体Ａ３を開いて操作摘み３を指Ｃで軽く下圧しながら前方にスライド移動させると、名刺Ｂは、押し上げ機構部２によって上面部方向に押し上げられているので、操作摘み３が最上層の名刺Ｂ１と当接し、名刺Ｂ１を長孔ａから繰り出すものである。この際に長孔ａに設けた弾性爪１２５を押して撓曲させ、この撓曲によって生じた上下間隔から最上層の名刺Ｂ１のみが繰り出される。
【００４２】
湿気などによって次層の名刺が最上層名刺に付着して共に繰り出されたとしても、その繰り出し力は最上層名刺との摩擦力に基づくものであるから、次層の名刺Ｂ２が弾性爪１２５に衝突して、長孔ａ外への繰り出しが阻止され、最上層の名刺Ｂ１が抜き出されると、弾性爪１２５の復帰力で、ケース内に押し戻されることになる。
【００４３】
従って名刺Ｂは必ず１枚だけが長孔ａからその一端部分が繰り出されるので、突出した名刺Ｂを容易に手で引き出すことができる。
【００４４】
また操作摘み３を指Ｃで下圧して上面部１１１が撓んだとしても、撓み防止用細溝１１６によって前記の撓みは上面部１１１の前端部分の撓みを阻止することになるので、名刺の通過孔となる長孔ａの形状に変化を与えない。
【００４５】
更に前記の操作摘み３を下圧に際して、下圧箇所の周囲に扁平固定磁石２１ａ，２１ｂ及び扁平磁石２２１が配置されているので、上面部１１１が撓んだとしても、名刺Ｂとシート体２２は、撓むことなく、且つ長孔ａが余裕を持って形成されているので、最上層の名刺Ｂ１はスムーズに繰り出されるものである。
【図面の簡単な説明】
【００４６】
【図１】本考案の実施形態（製品）の全体斜視図（携帯状態）。
【図２】同図（名刺補給状態時）。
【図３】本考案の実施形態（収納ケース）の全体斜視図（上容器開放時）。
【図４】同操作摘みの説明図で、（イ）は携帯時を、（ロ）は操作時を示す。
【図５】同名刺繰り出し状態の説明断面図で、（イ）は繰り出し時を、（ロ）は終了時を示す。
【図６】同収納ケースの前面図。
【符号の説明】
【００４７】
１        収納ケース
１１      上容器
１１１      上面部
１１２      側面部
１１３      名刺受部
１１４，１２７      閉塞用磁石
１１５      貫通溝孔
１１６      撓み防止用細溝
１２      下容器
１２１      下面部
１２２      前側面部
１２３      左右側面部
１２４      枢結部
１２５      弾性爪
１２６      凹部
２        押し上げ機構部
２１ａ，２１ｂ      扁平固定磁石
２２      シート体
２２１      扁平磁石
３        操作摘み（繰り出し機構部）
３１      弾性アーチ部
３２      名刺当接部
３３      名刺当接面
【図１】
0003133201.tif 000003
【図２】
0003133201.tif 000004
【図３】
0003133201.tif 000005
【図４】
0003133201.tif 000006
【図５】
0003133201.tif 000007
【図６】
0003133201.tif 000008